(57)【要約】【課題】  給送ローラを上昇させなくても少量の媒体の継ぎ足しが可能な小型の媒体給送装置及びその媒体給送装置を備えた記録装置と液体噴射装置を提供すること。【解決手段】  収納された媒体を給送する給送ローラ６１を上下に旋回自在に保持する保持部６０と、給送待機時に給送ローラを持ち上げる持ち上げ部６２とを備える。これにより、給送ローラは下降していても媒体を押圧していないので、少量の媒体でも継ぎ足すことができる。保持部は、揺動自在な平箱状に形成され、一端に給送ローラが回動自在に軸支持され、他端に給送ローラを駆動させる駆動部が配設されているので、駆動部を駆動することにより、給送ローラを回動させることができると同時に、給送ローラに負荷モーメントを掛けて給送ローラを媒体に押圧させることができる。【選択図】      図６
2005280922.tif 000002
【特許請求の範囲】
【請求項１】
収納された媒体を給送ローラにより給送する媒体給送装置であって、
前記給送ローラを上下に旋回自在に保持する保持部と、
給送待機時に前記給送ローラを持ち上げる持ち上げ部とを備えたことを特徴とする媒体給送装置。
【請求項２】
前記保持部は、揺動自在な平箱状に形成され、一端に前記給送ローラが回動自在に軸支持され、他端に前記給送ローラを駆動させる駆動部が配設されていることを特徴とする請求項１に記載の媒体給送装置。
【請求項３】
前記持ち上げ部は、弾性部材を備え、前記持ち上げ部を持ち上げる方向に付勢されていることを特徴とする請求項１または２に記載の媒体給送装置。
【請求項４】
前記持ち上げ部は、前記給送ローラの近傍にコロを備え、給送待機時は、前記コロのみが収納された前記媒体に接して空転可能に構成されたことを特徴とする請求項１〜３の何れか一項に記載の媒体給送装置。
【請求項５】
媒体に記録する記録装置であって、
請求項１〜４の何れか一項に記載の媒体給送装置を備えたことを特徴とする記録装置。
【請求項６】
被噴射媒体に液体を噴射する液体噴射装置であって、
請求項１〜４の何れか一項に記載の媒体給送装置を備えたことを特徴とする液体噴射装置。
【発明の詳細な説明】
【技術分野】
【０００１】
本発明は、媒体を給送する媒体給送装置及びその媒体給送装置を備えた記録装置と液体噴射装置に関する。
【背景技術】
【０００２】
記録装置の１つであるインクジェット式プリンタは、背面側から給紙して前面側に排紙するタイプ、前面側にて給排紙するタイプがある。前面側にて給排紙するタイプのプリンタは、装置前面の下段に給紙トレイが配設され、上段に排紙スタッカが配設されている。そして、給紙トレイに収納されている用紙は、ピックローラにより送り出されて給送及び反転され、紙送りローラにより搬送されて記録され、排紙ローラにより排紙スタッカ上に排紙されるようになっている。ピックローラを有するピックローラユニットは、上下機構により上下動自在に構成されており、上昇させることにより給紙トレイとピックローラの間を空けて用紙を収納し、下降させることにより給紙トレイに収納されている用紙にピックローラを押圧させるようになっている。
【０００３】
【特許文献１】特開２００３−１７６０４２号公報
【発明の開示】
【発明が解決しようとする課題】
【０００４】
上述した従来のインクジェット式プリンタは、ピックローラが給紙トレイに収納されている用紙を押圧しているときは、少数枚の用紙を継ぎ足そうとしても、押圧力が継ぎ足し力よりも大きいため、少数枚の用紙の継ぎ足しは困難である。このため、少数枚の用紙を継ぎ足したいときは、ピックローラユニットを一旦上昇させる必要がある。また、上記押圧が長時間にわたると、ピックローラの材料に含まれる可塑剤等の成分が用紙に転写し、記録品質が劣化する要因となる。また、ピックローラユニットの上下機構は、構造が複雑であるため部品点数が多く、小型化が困難である。
【０００５】
本発明は、上記のような種々の課題に鑑みなされたものであり、その目的は、給送ローラを上昇させなくても少量の媒体の継ぎ足しが可能な小型の媒体給送装置及びその媒体給送装置を備えた記録装置と液体噴射装置を提供することにある。
【課題を解決するための手段】
【０００６】
上記目的達成のため、本発明の媒体給送装置では、収納された媒体を給送ローラにより給送する媒体給送装置であって、前記給送ローラを上下に旋回自在に保持する保持部と、給送待機時に前記給送ローラを持ち上げる持ち上げ部とを備えたことを特徴としている。これにより、給送ローラは下降していても媒体を押圧していないので、少量の媒体でも継ぎ足すことができる。
【０００７】
また、前記保持部は、揺動自在な平箱状に形成され、一端に前記給送ローラが回動自在に軸支持され、他端に前記給送ローラを駆動させる駆動部が配設されていることを特徴としている。これにより、駆動部を駆動することにより、給送ローラを回動させることができると同時に、給送ローラに負荷モーメントを掛けて給送ローラを媒体に押圧させることができる。また、前記持ち上げ部は、弾性部材を備え、前記持ち上げ部を持ち上げる方向に付勢されていることを特徴としている。これにより、供給ローラの持ち上げ機構を簡易かつ小型な構成とすることができる。また、前記持ち上げ部は、前記給送ローラの近傍にコロを備え、給送待機時は、前記コロのみが収納された前記媒体に接して空転可能に構成されたことを特徴としている。これにより、媒体の継ぎ足し時の負荷を低減させることができるので、媒体の継ぎ足しをさらに容易に行うことができる。
【０００８】
上記目的達成のため、本発明の記録装置では、媒体に記録する記録装置であって、上記各媒体給送装置を備えたことを特徴としている。また、本発明の液体噴射装置では、被噴射媒体に液体を噴射する液体噴射装置であって、上記各媒体給送装置を備えたことを特徴としている。これにより、上記各作用効果を奏する記録装置及び液体噴射装置を提供することができる。
【発明を実施するための最良の形態】
【０００９】
図１は、本発明の一実施の形態に係る記録装置の１つであるインクジェット式複合機の外観構成の全体を示す斜視図、図２は、その内部構造を示す斜視図、図３は、その概略側面図である。このインクジェット式複合機１００は、例えばＪＩＳ規格のＬ判やＡ６判からＡ４判までのサイズの単票紙やハガキに記録することができるプリンタ機能と、ＪＩＳ規格のＡ４判までのサイズの原稿及びＵＳ規格のレターサイズまでの原稿を読み取ることができるスキャナ機能と、ＪＩＳ規格のＬ判、２Ｌ判、Ｂ５判、Ａ４判、六切り、ハガキのサイズの用紙に複写することができるコピー機能を備えている。
【００１０】
このインクジェット式複合機１００は、図１に示すように、全体が略直方体状のハウジング１０１で覆われており、下段にプリンタ１１０が配設され、上段にスキャナ１２０が配設された構成となっている。そして、背面側に給紙部１３０が配設され、前面側に本発明の特徴的な部分を含む給排紙部１４０が配設されている。ユーザは、記録前の用紙のセッティング方向として背面側の給紙部１３０及び前面側の給排紙部１４０の一方または両方を選択することができるので、インクジェット式複合機１００の設置位置の自由度を高めることができる。さらに、記録後の用紙は常に前面側の給排紙部１４０から排紙されるので、ユーザは用紙を容易に取り出すことができる。
【００１１】
ハウジング１０１の上面には、図１に示す矩形平板状のスキャナカバー１０２が配設されている。このスキャナカバー１０２は、前部に取っ手１０３が形成されており、後部の回転軸を中心に図示矢印ａ方向に回動可能に取り付けられている。ユーザは、スキャナ１２０を使用するときは取っ手１０３に指を差し込んでスキャナカバー１０２を開閉することができるので、原稿の出し入れを容易に行うことができる。
【００１２】
ハウジング１０１の前面両側には、図２に示す複数のインクカートリッジ１０が抜き差しされるカートリッジ収納部１０４がそれぞれ形成されている。各インクカートリッジ１０は、記録用の各色のインクを貯留している。各カートリッジ収納部１０４は、図１に示す透明もしくは半透明のカートリッジカバー１０５によって覆われている。カートリッジカバー１０５は、その下部の回動軸を中心に図示矢印ｂ方向に回動可能に取り付けられている。ユーザは、従来のように重量のあるスキャナ１２０全体を持ち上げてプリンタ１１０の内部を開放しなくても、カートリッジカバー１０５を軽く押して係止部を外しカートリッジ収納部１０４を開放するのみにより、インクカートリッジ１０の交換作業等を行うことができるので、作業効率を向上させることができる。
【００１３】
ハウジング１０１の上面のスキャナカバー１０２の手前には、図１に示すように、プリンタ１１０、スキャナ１２０、コピーの各動作を指示する操作部１０６が配設されている。操作部１０６は、パワーをオン・オフするパワー系、用紙の頭出し等を操作したりインクのフラッシング等を操作する操作系、画像処理等を行う処理系等の図示しないボタン等と、状態を表示する液晶パネル１０７等を備えている。ユーザは、液晶パネル１０７を見て確認しながらボタン等を操作することができる。
【００１４】
ハウジング１０１内には、図２及び図３に示すように、本発明の特徴的な部分を含む給排紙部１４０と、給紙部１３０、記録部１５０等が配設されている。給紙部１３０には、図１に示すように、上方に向かって矩形状に開口したリア給紙口１３１が形成され、このリア給紙口１３１の両端縁と後縁に沿ってフレーム１３２が配設されている。そして、このフレーム１３２には、図１〜図３に示すように、給紙する用紙を１枚もしくは複数枚サポートするペーパーサポート１３３と、ペーパーサポート１３３にサポートされている用紙を１枚ずつ自動的に給送する背面給紙機構（以下、リアＡＳＦという）１３４等が配設されている。
【００１５】
図４は、ペーパーサポート１３３とリアＡＳＦ１３４の詳細を示す側面図であり、図１〜図４を参照して説明する。ペーパーサポート１３３は、用紙の裏面をサポートする第１サポート２１及び第２サポート２２と、用紙の両サイドエッジをガイドする固定エッジガイド２３と可動エッジガイド２４等を備えている。リアＡＳＦ１３４は、ペーパーサポート１３３にサポートされている用紙を給送するために持ち上げるホッパ３１、このホッパ３１により持ち上げられた用紙を取り出す給紙ローラ３２、この給紙ローラ３２により重送された用紙を１枚のみに分離するリタードローラ３３、このリタードローラ３３により分離された残りの用紙をホッパ３１へ戻すリア紙戻しユニット３４等を備えている。
【００１６】
第１サポート２１は、平板状に形成されてフレーム１３２の後壁内側に格納・引出自在に配設され、第２サポート２２は、平板状に形成されて第１サポート２１に格納・引出自在に配設されている。第１サポート２１及び第２サポート２２は、給紙方向に伸縮自在に形成されているので、不使用のときはコンパクトに格納しておくことができ、また使用のときは種々のサイズの用紙を確実にサポートすることができる。
【００１７】
また、固定エッジガイド２３は、フレーム１３２の装置前面側から見て右側壁に沿う形状でホッパ３１と一体形成され、可動エッジガイド２４は、フレーム１３２の装置前面側から見て左側壁に沿う形状に形成され、フレーム１３２の左側壁と右側壁の間をフレーム１３２の後壁と略平行に移動可能なようにホッパ３１に取り付けられている。固定エッジガイド２３と可動エッジガイド２４は、用紙のサイズが異なっても確実に用紙の両側縁をガイドすることができるので、給送を高精度に行うことができる。
【００１８】
ホッパ３１は、用紙が載置可能な平板状に形成されてフレーム１３２の後壁と略平行に配設されており、下端が給紙ローラ３２の近傍に位置し、上端がフレーム１３２の後壁頂部に近接して位置するように配設されている。そして、ホッパ３１は、下端側の裏面にフレーム１３２の後壁に一端が取り付けられた図示しない圧縮バネの他端が取り付けられており、この圧縮バネの伸縮により上端側を中心に下端側が旋回するように配設されている。
【００１９】
給紙ローラ３２は、断面の一部が切り欠かれたＤ字状に形成されてホッパ３１の下端近傍に配設されており、間欠的に回転してホッパ３１により持ち上げられた用紙を摩擦給送するようになっている。リタードローラ３３は、給紙ローラ３２と当接可能に配設されており、給紙ローラ３２により用紙が重送されたときに最上層の用紙のみを下層の用紙から摩擦分離するようになっている。リア紙戻しユニット３４は、爪状に形成されて給紙ローラ３２の近傍に配設されており、リタードローラ３３により分離された下層の用紙を爪に掛けてホッパ３１へ戻すようになっている。
【００２０】
給排紙部１４０には、図２及び図３に示すように、前方に向かって矩形状に開口したフロント給排紙口１４１が形成され、このフロント給排紙口１４１の下側に給紙トレイ１４２が配設され、給紙トレイ１４２の上側に排紙トレイ１４３が配設されている。そして、フロント給排紙口１４１の奧には、図３に示すように、給紙トレイ１４２に収納されている用紙を１枚ずつ自動的に給送する本発明の特徴的な部分である前面給紙機構（以下、フロントＡＳＦという）１４４と、排紙トレイ１４３に用紙を自動的に排送する前面排紙機構（以下、フロントＥＪという）１４５が配設されている。
【００２１】
給紙トレイ１４２は、図２及び図３に示すように、平板状に形成されており、上面に記録前の給紙される用紙が積層収納されるようなっている。排紙トレイ１４３は、図２及び図３に示すように、第１トレイ１４３ａ、第２トレイ１４３ｂ及び第３トレイ１４３ｃを備えている。第１トレイ１４３ａは、平板状に形成されて後部が給排紙部１４０の奧の本体フレーム１０８に回動自在に配設され、第２トレイ１４３ｂは、平板状に形成されて第１トレイ１４３ａに格納・引出自在に配設され、第３トレイ１４３ｃは、平板状に形成されて第２トレイ１４３ｂに格納・引出自在に配設されている。
【００２２】
排紙トレイ１４３は、第２トレイ１４３ｂ及び第３トレイ１４３ｃが引き出された状態で、上面に記録後の排紙される用紙が積層載置されるようなっている。第２トレイ１４３ｂ及び第３トレイ１４３ｃは、排紙方向に伸縮自在に形成されているので、不使用のときはコンパクトに格納しておくことができ、また使用のときは種々のサイズの排紙される用紙を確実に積層載置することができる。なお、この給排紙部１４０は、給排紙時に折り曲げることが不可能な厚手の用紙や光ディスク等が収納されたトレイを手差しで給紙、供給することが可能なようにも形成されている。
【００２３】
図５は、フロントＡＳＦ１４４の詳細を示す側面図であり、図３及び図５を参照して説明する。フロントＡＳＦ１４４は、給紙トレイ１４２に収納されている用紙を取り出すピックアップローラユニット４１、このピックアップローラユニット４１により取り出された用紙の向きを変える土手部４２を備えている。さらに、ピックアップローラユニット４１により重送された用紙を１枚のみに分離するリタードローラユニット４３、このリタードローラユニット４３により分離された残りの用紙を給紙トレイ１４２に戻すフロント紙戻しユニット４４、給送される用紙をＵ字状に反転させる中間ローラ４５及びアシストローラ４６等を備えている。
【００２４】
ピックアップローラユニット４１は、給紙トレイ１４２の後部上方に配置され給紙トレイ１４２に対して上下に旋回自在に配設されており、下降して給紙トレイ１４２に収納されている用紙を摩擦給送するようになっている。土手部４２は、給紙トレイ１４２の後部にて後方に向けて傾斜するように配設されており、ピックアップローラユニット４１により給送される用紙の先端を上方に方向変換するようになっている。
【００２５】
リタードローラユニット４３は、中間ローラ４５と当接可能に配設されており、ピックアップローラユニット４１により用紙が重送されたときに最上層の用紙のみを下層の用紙から摩擦分離するようになっている。フロント紙戻しユニット４４は、爪状に形成されてリタードローラユニット４３の近傍に配設されており、リタードローラユニット４３により分離された下層の用紙を爪に掛けて給紙トレイ１４２へ戻すようになっている。アシストローラ４６は、中間ローラ４５に対して常時当接するように配設されており、リタードローラユニット４３により分離された最上層の用紙を中間ローラ４５と挟持してＵ字状に反転させ、プラテン１５５へ給送するようになっている。
【００２６】
フロントＥＪ１４５は、図３に示すように、第１排紙ローラ５１と第１ギザローラ５２、第２排紙ローラ５３と第２ギザローラ５４等を備えている。第１排紙ローラ５１は、プラテン１５５の搬送下流側に配設されており、プラテン１５５を通過してくる用紙を第１ギザローラ５２とともに挟持して排送し、さらに第２排紙ローラ５３は、第１排紙ローラ５１の搬送下流側に配設されており、その用紙を第２ギザローラ５４とともに挟持して排紙トレイ１４３上へ排送するようになっている。
【００２７】
記録部１５０には、図３に示すように、記録動作に同期して副走査方向に用紙を送る紙送りローラ１５１とその従動ローラ１５２、記録動作に同期して主走査方向に移動するキャリッジ１５３、記録動作に同期してインクを吐出する記録ヘッド１５４、記録時の用紙を平坦に保持するプラテン１５５等が配設されている。
【００２８】
紙送りローラ１５１は、図３に示すように、プラテン１５５の搬送上流側に配設されており、給紙ローラ３２により給送される用紙もしくは中間ローラ４５により反転給送される用紙を図２に示す紙送り機構１５６により従動ローラ１５２とともに挟持してプラテン１５５へ送り出すようになっている。キャリッジ１５３は、プラテン１５５の上方で図３に示すキャリッジガイド軸１５７に貫装されて図２に示すキャリッジベルト１５８に連結されており、図２に示すキャリッジモータ１５９によってキャリッジベルト１５８が作動すると、キャリッジベルト１５８の動きに連行され、キャリッジガイド軸１５７に案内されて往復移動するようになっている。
【００２９】
記録ヘッド１５４は、図３に示すように、プラテン１５５と所定の間隔が空くようにしてキャリッジ１５３に搭載されており、例えばブラックインクを吐出するブラックインク用記録ヘッドと、イエロー、シアン、ライトシアン、マゼンタ、ライトマゼンタの５色のインクをそれぞれ吐出する複数のカラーインク用記録ヘッドとを備えている。そして、記録ヘッド１５４は、圧力発生室とそれに繋がるノズル開口が設けられており、圧力発生室内にインクを貯留して所定圧で加圧することにより、ノズル開口から用紙に向けてコントロールされた大きさのインク滴を吐出するようになっている。次に、本発明の特徴的な部分を含む給排紙部１４０のフロントＡＳＦ１４４周辺について、さらに図を参照して説明する。
【００３０】
図６（Ａ）、（Ｂ）は、上記フロントＡＳＦ１４４のピックアップローラユニット４１周辺の詳細を示す斜視図及び側面図、図７（Ａ）、（Ｂ）は、ピックアップローラユニット４１の主要部の詳細を示す斜視図である。このピックアップローラユニット４１は、ピックアップホルダ（保持部）６０に配設されたピックアップローラ（給送ローラ）６１、ピックアップローラ持ち上げ部（持ち上げ部）６２、ピックアップローラ駆動部６３を備えている。
【００３１】
ピックアップホルダ６０は、図６（Ａ）、（Ｂ）に示すように、平箱状に形成されており、一端側に軸支持された旋回軸６０ａを中心に他端側が旋回自在に配設されている。ピックアップローラ６１は、図６（Ａ）、（Ｂ）に示すように、円筒状に形成されており、２つのピックアップローラ６１が、ピックアップホルダ６０の他端側に軸支持されたピックアップローラ軸６１ａに間隔を空けて配設されている。
【００３２】
ピックアップローラ持ち上げ部６２は、図７（Ａ）に示すように、アーム状に形成されており、一端がリング状に形成されてピックアップローラ軸６１ａに挿入され、他端がピックアップホルダ６０に回転自在に取り付けられている。ピックアップローラ持ち上げ部６２の一端のリング部６２ａは、内径がピックアップローラ軸６１ａの径よりも大きくなるように形成され、外周部には回転自在なコロ６２ｂが嵌め込まれている。そして、ピックアップローラ持ち上げ部６２のアーム部６２ｃの略中央部には、ピックアップホルダ６０に上端が係止されている圧縮バネ６２ｄの下端が係止されている。このピックアップローラ持ち上げ部６２は、２つのピックアップローラ６１の両側近傍に２つ配設されている。なお、コロ６２ｂは無くても同様の効果を奏する。また、圧縮バネ６２ｄの代わりにゴム等の弾性部材を用いても良い。
【００３３】
ピックアップローラ駆動部６３は、図６（Ａ）、（Ｂ）及び図７（Ｂ）に示すように、歯車機構６３ａとベルト機構６３ｂを備えている。歯車機構６３ａは、旋回軸６０ａの両端に嵌入された第１平歯車６３ｃ及び第２平歯車６３ｄと、この第２平歯車６３ｄに噛み合う第３平歯車６３ｅを備えている。プーリ機構６３ｂは、第３平歯車６３ｅと同軸に配設された第１プーリ６３ｆと、ピックアップローラ軸６１ａの一端に嵌入された第２プーリ６３ｇと、第１プーリ６３ｆと第２プーリ６３ｇの間に掛け渡されたベルト６３ｈと、ベルト６３ｈにテンションを加えるテンションプーリ６３ｉを備えている。以上のような構成のピックアップローラユニット４１の動作について図を参照して説明する。
【００３４】
図８（Ａ）、（Ｂ）、（Ｃ）は、給紙待機時の状態を示す斜視図、正面図、側面図、図９（Ａ）、（Ｂ）、（Ｃ）は、給紙時の状態を示す斜視図、正面図、側面図である。給紙待機時においては、図８に示すように、ピックアップホルダ６０は、ピックアップローラ持ち上げ部６２の圧縮バネ６２ｄの作用により持ち上げられるため、ピックアップローラ６１は、用紙から浮いた状態になる。
【００３５】
このとき用紙には、ピックアップローラ持ち上げ部６２のコロ６２ｂのみが押圧しているので、給紙トレイ１４２側から用紙を継ぎ足すとき、少数枚の用紙であっても上記押圧力は上記継ぎ足し力よりも小さくなり、少数枚の用紙の継ぎ足しを容易に行うことができる。すなわち、コロ６２ｂは、例えばポリアセタール等で成るピックアップローラ６１に比べて用紙との摩擦係数の低い、例えばシリコン等で形成されているためである。また、ピックアップローラ駆動部６３に連結されているピックアップローラ６１に比べてフリーなコロ６２ｂは回転による負荷が低いためである。
【００３６】
給紙時においては、図９に示すように、図示しないモータからの駆動力が、ピックアップローラ駆動部６３の第１平歯車６３ｃ、旋回軸６０ａ、第２平歯車６３ｄ、第３平歯車６３ｅへと伝達され、さらに第１プーリ６３ｆ、ベルト６３ｈ、第２プーリ６３ｇを介してピックアップローラ軸６１ａへ伝達される。したがって、ピックアップホルダ６０には、旋回軸６０ａ回りの下向きの負荷モーメントが掛かるため、ピックアップローラ６１は、用紙を押圧した状態になる。
【００３７】
ここで、上述した給紙待機時及び給紙時の状態になるためには、以下の関係式（１）が成立する必要がある。すなわち、ピックアップローラ６１の回転時のピックアップホルダ６０に掛かる旋回軸６０ａ回りの下向きの負荷モーメントをＭ、ピックアップローラ持ち上げ部６２が作用しないときのピックアップローラ６１が用紙に掛ける静荷重をＰ１、ピックアップローラ持ち上げ部６２の圧縮バネ６２ｄがピックアップホルダ６０に掛ける持ち上げ力をＰ２、ピックアップホルダ６０の旋回軸６０ａからピックアップローラ６１までの作用長さをｌ１、ピックアップホルダ６０の旋回軸６０ａからピックアップローラ持ち上げ部６２の圧縮バネ６２ｄまでの作用長さをｌ２としたとき、
Ｍ＞Ｐ２・ｌ２−Ｐ１・ｌ１＞０…（１）
このような構成において、インクジェット式複合機１００にて用紙に記録する場合の動作について説明する。ユーザは、記録前の複数枚の用紙を給紙トレイ１４２に収納してインクジェット式複合機１００を起動する。給紙トレイ１４２に積層収納された用紙は、ピックアップローラユニット４１により中間ローラ４５に摩擦給送され、最上層の用紙のみがリタードローラユニット４３により分離されて給送される。そして、用紙は、スキュー取り及び頭出しされた後、紙送り機構１５６により駆動されている紙送りローラ１５１とその従動ローラ１５２に挟持されてプラテン１５５へ給送される。
【００３８】
用紙は、キャリッジモータ１５９とキャリッジベルト１５８により走査されるキャリッジ１５３に搭載された記録ヘッド１５４により記録される。このとき、インクジェット式複合機１００の制御部は、例えばイエロー、マゼンタ、ライトマゼンタ、シアン、ライトシアン、ブラックの計７色のインクカートリッジから記録ヘッド１５４へ各色インクを供給し、各色インクの吐出タイミング及びキャリッジ１５３や紙送りローラ１５１の駆動を制御して、高精度なインクドット制御、ハーフトーン処理等を実行する。そして、記録が完了した用紙は、紙送り機構１５６により駆動されている第１排紙ローラ５１と第１ギザローラ５２、第２排紙ローラ５３と第２ギザローラ５４に挟持されて給排紙部１４０へ排紙され、排紙トレイ１４３上へ積層載置される。
【００３９】
以上のように、本実施形態のインクジェット式複合機１００によれば、ピックアップローラ６１を上下に旋回自在に保持するピックアップホルダ６０と、給送待機時にピックアップローラ６１を持ち上げるピックアップローラ持ち上げ部６２とを備えているので、ピックアップローラ６１は下降していても用紙を押圧せず、少量の用紙でも継ぎ足すことができる。また、ピックアップホルダ６０は、揺動自在な平箱状に形成され、一端にピックアップローラ６１が回動自在に軸支持され、他端にピックアップローラ駆動部６３が配設されているので、ピックアップローラ駆動部６３を駆動することにより、ピックアップローラ６１を回動させることができると同時に、ピックアップローラ６１に負荷モーメントを掛けてピックアップローラ６１を用紙に押圧させることができる。また、ピックアップローラ持ち上げ部６２は、圧縮バネ６２ｄを備えているので、ピックアップローラ６１の持ち上げ機構を簡易かつ小型な構成とすることができる。また、ピックアップローラ持ち上げ部６２は、コロ６２ｂを備えているので、用紙の継ぎ足し時の負荷を低減させることができ、用紙の継ぎ足しをさらに容易に行うことができる。
【産業上の利用可能性】
【００４０】
媒体給送装置を備えた記録装置であれば、例えばファクシミリ装置、コピー装置等であっても適用可能である。また、記録装置に限らず、インクに代えてその用途に対応する液体を液体噴射ヘッドから被噴射媒体に噴射して液体を被噴射媒体に付着させる液体噴射装置の意味として、例えば、液晶ディスプレイ等のカラーフィルタ製造に用いる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料噴射ヘッド等を備えた装置にも適用可能である。
【図面の簡単な説明】
【００４１】
【図１】本発明の一実施の形態に係る記録装置の１つであるインクジェット式複合機の外観構成の全体を示す斜視図である。
【図２】図１の複合機の内部構造を示す斜視図である。
【図３】図２の複合機の内部構造の概略側面図である。
【図４】図１の複合機のペーパーサポートとリアＡＳＦの詳細を示す側面図である。
【図５】図１の複合機のフロントＡＳＦの詳細を示す側面図である。
【図６】図５のフロントＡＳＦのピックアップローラユニット周辺の詳細を示す斜視図及び側面図である。
【図７】図６のピックアップローラユニットの主要部の詳細を示す斜視図である。
【図８】図６のピックアップローラユニットの給紙待機時の状態を示す斜視図、正面図、側面図である。
【図９】図６のピックアップローラユニットの給紙時の状態を示す斜視図、正面図、側面図である。
【符号の説明】
【００４２】
２１  第１サポート、２２  第２サポート、２３  固定エッジガイド、２４  可動エッジガイド、３１  ホッパ、３２  給紙ローラ、４１  ピックアップローラユニット、４５  中間ローラ、６０  ピックアップホルダ、６０ａ  旋回軸、６１  ピックアップローラ、６１ａ  ピックアップローラ軸、６２  ピックアップローラ持ち上げ部、６２ｂ  コロ、６２ｄ  圧縮バネ、６３  ピックアップローラ駆動部、１００  インクジェット式複合機、１０１  ハウジング、１１０  プリンタ、１２０  スキャナ、１３０  給紙部、１３１  リア給紙口、１３２  フレーム、１３３  ペーパーサポート、１３４  リアＡＳＦ、１４０  給排紙部、１４４  フロントＡＳＦ、１５０  記録部、１５１  紙送りローラ、１５６  紙送り機構
【図１】
2005280922.tif 000003
【図２】
2005280922.tif 000004
【図３】
2005280922.tif 000005
【図４】
2005280922.tif 000006
【図５】
2005280922.tif 000007
【図６】
2005280922.tif 000008
【図７】
2005280922.tif 000009
【図８】
2005280922.tif 000010
【図９】
2005280922.tif 000011